(57)【特許請求の範囲】
【請求項１】
電動送風機を内蔵する掃除機本体と、前記掃除機本体に着脱可能に装着されるダストカップユニットと、第１ロック機構および第２ロック機構とを備え、
前記掃除機本体は、前記ダストカップユニットを着脱可能に保持するよう前後方向に長いダストカップ保持部を前部に有すると共に、後部にハンドルを有し、
前記ダストカップ保持部は、パイプ部と、前記パイプ部の後端部に設けられた垂直壁部とを有してなり、
前記ダストカップ保持部に前記ダストカップユニットが装着された状態において、前記第１ロック機構は前記ダストカップ保持部と前記ダストカップユニットとの間の前記垂直壁部側に設けられ、かつ、前記第２ロック機構は前記ダストカップ保持部と前記ダストカップユニットとの間の前記パイプ部側に設けられ、
前記第１ロック機構は、前記ダストカップ保持部および前記ダストカップユニットに配置されてこれらを離脱可能に連結するための、第１係止凹部およびこの第１係止凹部に係脱可能に係止する第１係止爪を有すると共に、前記第１係止爪を前記第１係止凹部に係止させる方向に付勢する第１の付勢部材を有し、
前記第２ロック機構は、前記ダストカップ保持部および前記ダストカップユニットに配置されてこれらを離脱可能に連結するための、第２係止凹部およびこの第２係止凹部に係脱可能に係止する第２係止爪を有すると共に、前記第２係止爪を前記第２係止凹部に係止させる方向に付勢する第２の付勢部材を有し、
前記第１係止爪を前記第１係止凹部に係止させる方向が前後方向であり、かつ、前記第２係止爪を前記第２係止凹部に係止させる方向が前後方向であり、
前記第１係止爪は、前記第１係止凹部近傍に摺接可能な傾斜面を有し、
前記第２係止爪は、前記第２係止凹部近傍に摺接可能な傾斜面を有し、
前記ダストカップ保持部に前記ダストカップユニットが保持された前記掃除機本体による清掃状態において、前記第２の付勢部材によって前記第２ロック機構を介して前記ダストカップユニットを前記垂直壁部側に押し付けることにより、前記ダストカップユニットが前記ダストカップ保持部から落下しないようになっていることを特徴とする電気掃除機。
【請求項２】
前記第１ロック機構において、前記第１係止凹部が前記ダストカップ保持部の前記垂直壁部に配置され、かつ前記第１係止爪が前記フィルターユニットに配置され、
前記第２ロック機構において、前記第２係止爪が前記ダストカップ保持部の前記パイプ部に配置され、かつ前記第２係止凹部が前記ダストカップに配置されている請求項１に記載の電気掃除機。
【請求項３】
前記掃除機本体は、バッテリーと、前記バッテリーが着脱可能に装着されるよう前記掃除機本体に設けられたバッテリー装着部とをさらに備え、
前記バッテリー装着部は、前記バッテリーを収めるバッテリー収納凹部と、このバッテリー収納凹部に開閉可能に設けられたバッテリーカバーと、前記バッテリー収納凹部の奥部に設けられて前記バッテリーの正負極端子と電気的に接触可能な端子部とを有し、
前記バッテリーカバーは、その開動作によって前記バッテリー収納凹部内の前記バッテリーに当接して前記正負極端子が前記端子部から離間する方向にスライド移動させる押し出し当接部を有する請求項１または２に記載の電気掃除機。
【発明の詳細な説明】
【技術分野】
【０００１】
本発明は、電気掃除機に関する。
【背景技術】
【０００２】
従来の電気掃除機として、掃除機本体にサイクロン集塵ユニットを着脱可能に装着できるものが市販されている。
また、特許文献１には、掃除機本体と吸込口体との間のユニット収容部に対してサイクロン集塵ユニットを着脱できるものが提案されている。
【０００３】
特許文献１の電気掃除機において、ユニット収容部には、サイクロン集塵ユニットを位置決めするための位置決め凸部および係止凹部が設けられている。
一方、サイクロン集塵ユニットは、ダストカップと、蓋部と、排気筒と、フィルターと、清掃手段とを備え、ダストカップの底部には前記位置決め凸部に嵌合する嵌合凹部が設けられている。さらに、蓋部には、サイクロン集塵ユニットをユニット収容部に対して締結するためのロックレバーが設けられている。このロックレバーは、バネ等の付勢手段によってユニット収容部の係止凹部に嵌合する方向に付勢されている。
【０００４】
特許文献１に記載の電気掃除機によれば、ユーザーがロックレバーを下方に引き、位置決め凸部を中心にサイクロン集塵ユニットを手前に回動させることで、サイクロン集塵ユニットをユニット収容部から取り外し、ダストカップ内のゴミを廃棄することができる。逆に、サイクロン集塵ユニットをユニット収容部に取り付ける際は、位置決め凸部にダストカップの嵌合凹部を嵌め込み、位置決め凸部を中心にサイクロン集塵ユニットをユニット収容部の方へ回動させることにより、ロックレバーの先端が前記係止凹部に係止し、これによりサイクロン集塵ユニットがユニット収容部に固定される。
【０００５】
なお、掃除機本体にサイクロン集塵ユニットを着脱可能に装着できる従来の電気掃除機の場合、掃除機本体に特許文献１に記載されたユニット収容部と同様の構成のサイクロン集塵ユニット装着部が設けられている。
【先行技術文献】
【特許文献】
【０００６】
【特許文献１】特開２００５−１６８７７５号公報
【発明の概要】
【発明が解決しようとする課題】
【０００７】
特許文献１に記載の電気掃除機の場合、サイクロン集塵ユニットをユニット収容部に取り付けるには、前記のように位置決め部を中心にサイクロン集塵ユニットをユニット収容部の方へ回動させる操作が必要であった。
【０００８】
しかしながら、ユーザーによってはこの操作を守らずにサイクロン集塵ユニットをユニット収容部に取り付けてしまい、それによってサイクロン集塵ユニットが脱落するおそれがあった。具体的には、嵌合凹部を位置決め凸部に嵌め込まずに、サイクロン集塵ユニットをユニット収容部に対して平行に押し込むという誤った取り付け方をすることによって装着不良が生じる場合が想定される。
【０００９】
このような装着不良については、掃除機本体にサイクロン集塵ユニット装着部が設けられた従来の電気掃除機も同様である。特に、特許文献１に記載の電気掃除機やハンディタイプの電気掃除機の場合、使用時におけるサイクロン集塵ユニットの位置がユーザーの腰より高くなる場合があるため、サイクロン集塵ユニットが床面上に落下して壊れ、さらにダストカップから集めたゴミが室内に散乱してしまうといったことが生じる懸念があった。
【００１０】
本発明は、このような課題に鑑みなされたものであり、ダストカップユニットを掃除機本体に容易かつ正しく装着することができる電気掃除機を提供することを目的とする。
【課題を解決するための手段】
【００１１】
かくして、本発明によれば、電動送風機を内蔵する掃除機本体と、前記掃除機本体に着脱可能に装着されるダストカップユニットと、第１ロック機構および第２ロック機構とを備え、
前記掃除機本体は、前記ダストカップユニットを着脱可能に保持するダストカップ保持部を有し、
前記ダストカップ保持部に前記ダストカップユニットが装着された状態において、前記第１および第２ロック機構は、前記ダストカップユニットの一端部およびこの一端部と反対側の他端部を、これらの一端部および他端部と接触する前記ダストカップ保持部の２箇所の接触部に離脱可能に固定するよう配置され、
前記第１ロック機構は、前記ダストカップ保持部および前記ダストカップユニットに配置されてこれらを離脱可能に連結するための、第１係止凹部およびこの第１係止凹部に係脱可能に係止する第１係止爪を有すると共に、前記第１係止爪を前記第１係止凹部に係止させる方向に付勢する付勢部材を有し、
前記第２ロック機構は、前記ダストカップ保持部および前記ダストカップユニットに配置されてこれらを離脱可能に連結するための、第２係止凹部およびこの第２係止凹部に係脱可能に係止する第２係止爪を有すると共に、前記第２係止爪を前記第２係止凹部に係止させる方向に付勢する付勢部材を有し、
前記第１係止爪は、前記第１係止凹部近傍に摺接可能な傾斜面を有し、
前記第２係止爪は、前記第２係止凹部近傍に摺接可能な傾斜面を有する電気掃除機が提供される。
【発明の効果】
【００１２】
本発明の電気掃除機は、ダストカップユニットの一端部およびこの一端部と反対側の他端部を、これらの一端部および他端部と接触する前記ダストカップ保持部の２箇所の接触部に離脱可能に固定する第１および第２ロック機構を備えている。そのため、ダストカップ保持部に対してダストカップユニットを平行に装着しても斜めに装着しても確実に第１および第２ロック機構が機能するため、装着不良によるダストカップ保持部からのダストカップユニットの脱落を防止することができる。
本発明は、サイクロン集塵方式の電気掃除機に好適である。
【図面の簡単な説明】
【００１３】
【図１】本発明の電気掃除機の実施形態１を示す右側面図である。
【図２】実施形態１の電気掃除機の平面図である。
【図３】実施形態１の電気掃除機の正面図である。
【図４】実施形態１の電気掃除機の背面図である。
【図５】図２のI-I線断面矢視図である。
【図６】図２のII-II線断面矢視図である。
【図７】実施形態１の電気掃除機におけるダストカップユニットの着脱機構を説明する分解斜視図である。
【図８】実施形態１の電気掃除機の内部構造を説明する分解斜視図である。
【図９】実施形態１におけるダストカップユニットの分解図である。
【図１０】実施形態１におけるダストカップユニットの分解斜視図である。
【図１１】実施形態１におけるダストカップユニットを掃除機本体に装着する状態を示す第１の説明図である。
【図１２】図１１に引き続く第２の説明図である。
【図１３】図１２に引き続く第３の説明図である。
【図１４】図１３に引き続く第４の説明図である。
【図１５】実施形態１におけるバッテリー装着部からバッテリーを取り外す状態を示す第１の説明図であって（Ａ）は要部右側面図、（Ｂ）は図２のI-I線断面矢視図対応図である。
【図１６】図１５に引き続く第２の説明図である。
【図１７】図１６に引き続く第３の説明図であって（Ａ）は図２のII-II線断面矢視図対応図、（Ｂ）は図２のI-I線断面矢視図対応図である。
【図１８】図１７に引き続く第４の説明図であって（Ａ）は図２のII-II線断面矢視図対応図、（Ｂ）は図２のI-I線断面矢視図対応図である。
【図１９】実施形態１におけるバッテリー装着部にバッテリーを装着する状態を説明する図２のI-I線断面矢視図対応図である。
【図２０】実施形態２の電気掃除機におけるダストカップユニットを示す斜視図である。
【図２１】図２０のダストカップユニットの断面図である。
【図２２】実施形態３の電気掃除機におけるバッテリーを取り外した掃除機本体を示す斜視図である。
【図２３】実施形態３の電気掃除機における右側第１カバー部材を取り外した状態を示す右側面図である。
【発明を実施するための形態】
【００１４】
（実施形態１）
図１は本発明の電気掃除機の実施形態１を示す右側面図であり、図２は実施形態１の電気掃除機の平面図であり、図３は実施形態１の電気掃除機の正面図である。また、図４は実施形態１の電気掃除機の背面図であり、図５は図２のI-I線断面矢視図であり、図６は図２のII-II線断面矢視図である。また、図７は実施形態１の電気掃除機におけるダストカップユニットの着脱機構を説明する分解斜視図であり、図８は実施形態１の電気掃除機の内部構造を説明する分解斜視図である。
【００１５】
この電気掃除機１は、電動送風機４１を内蔵する掃除機本体１０と、掃除機本体１０に着脱可能に装着されるダストカップユニット２０およびバッテリー３０と、掃除機本体１０およびダストカップユニット２０にそれぞれ設けられた第１ロック機構５１および第２ロック機構５２とを備える。この電気掃除機１において、ダストカップユニット２０が取り外された掃除機本体１０は略ピストル形である。
【００１６】
掃除機本体１０は、ダストカップユニット２０を保持する前後方向に長いダストカップ保持部１２と、バッテリー３０を着脱可能に装着するバッテリー装着部１３と、後部に設けられたハンドル１４と、ハンドル１４に設けられた複数のスイッチ１５ａ、１５ｂを有する操作部１５とを有し、これらダストカップ保持部１２、バッテリー装着部１３およびハンドル１４は筐体１１によって形成されている。なお、本明細書において、前後左右上下の方向とは、ハンドル１４を握って水平方向に構えた状態の電気掃除機１についての前後左右上下の方向を指す。
【００１７】
また、筐体１１内には、前記電動送風機４１、前記複数のスイッチ１５ａ、１５ｂ、回路基板４２、バッテリー３０の正負極端子と電気的に接触可能な端子部４３等が収納されている。
【００１８】
ダストカップ保持部１２は、その内部に気流を通過させる前後方向に延びるパイプ部１２ａと、パイプ部１２ａの後端部から下方に向けて設けられた垂直壁部１２ｂとを有してなる。また、パイプ部１２ａにおいて、その前端部には前方開口状の吸気口１２ａ1が設けられると共に、後方下部には上方開口状の第１接続孔部１２ａ2が設けられている。
【００１９】
また、垂直壁部１２ｂには前方に開口する格子状の第２接続孔部１２ｂ1が設けられると共に、筐体１１の右側面には排気口１２ｂ2が設けられている。なお、排気口１２ｂ2はその内側に設けられたメッシュおよびフィルターにて覆われている。
また、筐体１１の下部には、室内の壁などに取り付けたフックに引っ掛けることができるＵ形のフック掛け部材１６が設けられている。なお、このフック掛け部材１６とハンドル１４に肩掛けベルト（図示省略）を通すことにより、ユーザーは肩掛けベルトを肩に掛けて電気掃除機１を使用することができる。
【００２０】
また、パイプ部１２ａの前端部には、ハンディタイプとして電気掃除機１を使用する場合のブラシ部材１７が折り畳み可能に取り付けられている。
また、図示しないが、この電気掃除機１は、付属品として、細長いノズル体、延長パイプ、吸込口体等を備えており、掃除する場所によってパイプ部１２ａの吸気口１２ａ1にノズル体あるいは延長パイプを介して吸込口体を差し込んで掃除することができる。
【００２１】
第１および第２ロック機構５１、５２は、掃除機本体１０のダストカップ保持部１２にダストカップユニット２０の一端部とその反対側の他端部の２箇所を着脱可能に固定する機能を有する。なお、ダストカップユニット２０の一端部は、例えば、長手方向の一端部あるいは、高さ方向の一端部でよく、ダストカップの形状や大きさにより一端部が任意の位置となる。
【００２２】
図５と図７と図１１に示すように、第１ロック機構５１は、ダストカップ保持部１２の後端部の垂直壁部１２ｂの上部に設けられた第１係止凹部１１ｄ4と、ダストカップユニット２０の後述するフィルターユニットＦに設けられて第１係止凹部１１ｄ4と係脱可能に係止する第１係止爪２４ｃ1とを有してなる。
【００２３】
また、第２ロック機構５２は、ダストカップユニット２０の後述するダストカップ２１に設けられた第２係止凹部２１ｆ1と、ダストカップ保持部１２の前端部の上方面に設けられて第２係止凹部２１ｆ1と係脱可能に係止する第２係止爪５２ａとを有してなる。
なお、第１および第２ロック機構５１、５２の構造について詳しくは後述する。
【００２４】
掃除機本体１０において、ダストカップ保持部１２の垂下壁部１２ｂの後方は電動送風機４１および回路基板４２が収納され、電動送風機４１の上方かつダストカップ保持部１２のパイプ部１２ａの延長線上にバッテリー装着部１３が設けられている。なお、バッテリー装着部１３について詳しくは後述する。
【００２５】
＜ダストカップユニット、第１および第２ロック機構＞
図９は実施形態１におけるダストカップユニットの分解図であり、図１０は実施形態１におけるダストカップユニットの分解斜視図である。
ダストカップユニット２０は、前記フィルターユニットＦと、フィルターユニットＦを着脱可能に装着する開口部を有する前記ダストカップ２１とを備える。
さらに、フィルターユニットＦは、第１フィルター部２２と、第２フィルター部２３と、カップカバー２４とを有してなる。
【００２６】
ダストカップ２１は、底壁２１ａおよび周囲壁２１ｂを有する円筒形に形成され、その軸心方向一端側に開口部２１ｃを有し、周囲壁における開口部２１ｃの近傍に流入口２１ｄおよび第１係止部材２１ｅが設けられている。さらに、ダストカップ２１は、周囲壁２１ｂにおける流入口２１ｄと同じ側に前記第２ロック機構５２の第２係止凹部２１ｆ1を有している。
【００２７】
第１フィルター部２２は、ダストカップ２１の開口部２１ｃと気密に嵌合しかつ第２フィルター部２３のフィルター本体２３ａを気密に収容する上部カップ部２２ａと、上部カップ部２２ａの中心孔２２ａ1と連通連結する筒状のメッシュフィルター２２ｂと、メッシュフィルター２２ｂの外周に設けられた内筒体２２ｃと、内筒体２２ｃの下端に連結しかつダストカップ２１の底面に当接する円筒状支持部２２ｄとを有する。
【００２８】
第２フィルター部２３は、中心孔を有するプリーツ状のフィルターを有する前記フィルター本体２３ａと、フィルター本体２３ａを除塵する除塵機構２３ｂとを有する。実施形態１の場合、フィルター本体２３ａとして高集塵フィルターが用いられている。また、フィルター本体２３ａの外周面には、上部カップ部２２ａと気密性を保つためにパッキンが設けられている。
【００２９】
除塵機構２３ｂは、フィルター本体２３ａの中心孔に挿入された軸部２３ｂ1と、フィルター本体２３ａの外周部に設けられた環状部２３ｂ2と、軸部２３ｂ1と環状部２３ｂ2とを連結する放射状に設けられた複数の連結部２３ｂ3と、各連結部２３ｂ3に設けられた複数の当接部２３ｂ4とを有する。
また、フィルター本体２３ａの下部には、軸部２３ｂ1の下端と連結した塵埃落しユニット２３ｃが設けられている。
【００３０】
各連結部２３ｂ3にはリブ２３ｂ31が設けられており、リブ２３ｂ31を手動で回すことによりフィルター本体２３ａの各山襞に各当接部２３ｂ4が衝突してフィルター本体２３ａが振動し、それによってフィルター本体２３ａに付着した塵埃が第１フィルター部２２の上部カップ部２２ａ内に落下する。また、リブ２３ｂ31を手動で回すことによって塵挨落しユニット２３ｃが回り、塵挨落しユニット２３ｃに取り付けられたブレード２３ｃ1が回転しながら上部カップ部２２ａ内に落下した塵埃を内筒体２２ｃの内部へ移動させる。
【００３１】
実施形態１の場合、当接部２３ｂ4は、フィルター本体２３ａに当接する図示しない弾丸形状の当接部材と、当接部材をフィルター本体２３ａ側に付勢する図示しない圧縮コイルバネと、当接部材および圧縮コイルバネを保持しかつ連結部２３ｂ3に連結するホルダ部２３ｂ21とを有する。
【００３２】
第２フィルター部２３を第１フィルター部２２の上部カップ部２２ａ内に収容し、かつ上部カップ部２２ａをダストカップ２１の開口部２１ｃに嵌め込んだ後、第２フィルター部２３を覆うように円筒状のカップカバー２４をフィルター本体２３ａの外周面を介して嵌め込む。なお、上部カップ部２２ａにフィルター部２３が収納されていない場合、カップカバー２４が最後まで嵌め込めないように上部カップ部２２ａには忘れ防止機構２２ｆが設けられている。忘れ防止機構２２ｆは、第１フィルター部２２に第２フィルター部２３が装着されていない場合、忘れ防止機構２２ｆがカップカバー２４の一部に引っ掛かる位置に移動することで、カップカバー２４が第１フィルター部２２に最後まで装着できないようになることで忘れ防止機構として機能する。
【００３３】
このカップカバー２４は、除塵機構２３ｂを回す際にユーザーの手が差し入れられるよう略円形の窓部２４ａが設けられている。また、カップカバー２４の外周面には、相互に係合した第２係止部材２４ｄおよび忘れ防止機構２２ｆを収納する囲い部２４ｂが設けられている。また、囲い部２４ｂの反対側には、第１ロック機構５１を構成する係止部材２４ｃが設けられている。この係止部材２４ｃは、掃除機本体１０の前記第１係止凹部１１ｄ4と係脱可能に係合する前記第１係止爪２４ｃ1を有する。また、カップカバー２４の外周面には前記第１係止部材２１ｅの係合爪２１ｃ1と係合する係合凹部２４ｅが設けられている。
【００３４】
図５および図７に示すように、第１係止爪２４ｃ1は、ユーザーの指を引っ掛ける凹みを有するボタン形の前記係止部材２４ｃに一体成形されている。また、ダストカップユニット２０のカップカバー２４の外周面には、係止部材２４ｃを前後方向にスライド可能に保持する突起部２４ｃ2が設けられている。さらに、突起部２４ｃ2と係止部材２４ｃとの間には第１係止爪２４ｃ1をカップカバー２４よりも後方へ突出させるよう弾発的に付勢する圧縮コイルバネ２４ｃ3が設けられている。
【００３５】
第２係止爪５２ａは長方形の枠部材５２Ａに一体成形されている。一方、掃除機本体１０のパイプ部１２ａの先端下部には枠部材５２Ａを前後方向スライド可能に収納する収納凹部５２Ｂが設けられると共に、収納凹部５２Ｂの内部に突起部５２ｂ1が設けられている。さらに、収納凹部５２Ｂ内における突起部５２ｂ1と枠部材５２Ａとの間に配置されて第２係止爪５２ａを後方へ弾発的に付勢する圧縮コイルバネ５２ｃが設けられると共に、枠部材５２Ａおよび圧縮コイルバネ５２ｃが収納凹部５２Ｂ内から抜け出ないようにする押さえカバー５２ｄが設けられている。
【００３６】
図１１は実施形態１におけるダストカップユニットを掃除機本体に装着する状態を示す第１の説明図であり、図１２は図１１に引き続く第２の説明図であり、図１３は図１２に引き続く第３の説明図であり、図１４は図１３に引き続く第４の説明図である。
ダストカップユニット２０を掃除機本体１０に装着する際は、図１１に示すように、第２係止凹部２１ｆ1を第２係止爪５２ａの方へ向けた状態で、かつカップカバー２４の端面を垂直壁部１２ｂに沿わせるようにしながらダストカップユニット２０をパイプ部１２ａの方へ移動させていく。
【００３７】
すると、図１２に示すように、第１ロック機構５１の第１係止爪２４ｃ1が掃除機本体１０の筐体１１の角部に当接する。このとき、第１係止爪２４ｃ1の傾斜面が筐体１１の角部に摺接することにより第１係止爪２４ｃ1が引っ込む。
ダストカップユニット２０をパイプ部１２ａの方へさらに移動させていくと、図１３に示すように、第１係止爪２４ｃ1が垂直壁部１２ｂの段差部に当接すると共に、ダストカップ２１の第２係止凹部２１ｆ1の開口端部が第２係止爪５２ａの丸みを有する傾斜面に当接する。そして、図１４に示すように、第１係止爪２４ｃ1は段差部を乗り越え、第２係止爪５２ａはダストカップ２１の開口端部に摺接し引っ込みながら乗り越えていき、図５に示すように、最終的に第１係止爪２４ｃ1は第１係止凹部１１ｄ4に係止し、第２係止爪５２ａは第２係止凹部２１ｆ1に係止する。
【００３８】
このとき、第１係止爪２４ｃ1の第１係止凹部１１ｄ4への係止および第２係止爪５２ａの第２係止凹部２１ｆ1への係止、すなわち、第１および第２ロック機構５１、５２のロックはほぼ同時に完了する。なお、第１および第２ロック機構５１、５２のどちらかが先にロックして、その後もう片方がロックしてもよい。ロック完了は「カチッ」という係止音によって確認できるため、ユーザーは操作感を得ることができる。また、この時点でユーザーがダストカップユニット２０を手放しても落下することはない。なお、ダストカップユニット２０が掃除機本体１０に装着されることにより、掃除機本体１０の第１接続孔部１２ａ2とダストカップユニット２０の流入口２１ｄとがパッキンを介して気密に接続すると共に、ダストカップユニット２０のカップカバー２４の窓部２４ａと掃除機本体１０の第２接続孔部１２ｂ1とがパッキンを介して気密に接続する。
【００３９】
なお、掃除機本体１０のダストカップ保持部１２におけるパイプ部１２ａと垂直壁部１２ｂとの間には、ダストカップユニット２０のフィルターユニットＦのカップカバー２４の外周面を支持する左右の凹曲面部１２ａ3が設けられると共に、左右の凹曲面部１２ａ3の間にカップカバー２４の第２係止部材２４ｄおよび囲い部２４ｂといった突起部分を収容する凹部１２ａ4が設けられている（図７参照）。そのため、ダストカップユニット２０を掃除機本体１０に装着する際、左右の凹曲面部１２ａ3によってダストカップユニット２０がダストカップ保持部１２に正しい姿勢で装着されるよう誘導される。
【００４０】
本発明の電気掃除機１は、前記の装着方法以外でもダストカップユニット２０を掃除機本体１０に確実に装着することができる。すなわち、カップカバー２４の端面が垂直壁部１２ｂから少し離れ、ダストカップユニット２０がパイプ部１２ａに対して斜めになった状態（第２係止爪５２ａを第２係止凹部２１ｆ1に近づけた状態）でダストカップユニット２０を掃除機本体１０に装着していくと、先に第２係止爪５２ａが第２係止凹部２１ｆ1に係止する。その後、第２係止凹部２１ｆ1を中心にダストカップユニット２０を回動させていくことにより第１係止爪２４ｃ1が第１係止凹部１１ｄ4に係止する。このようにしても、ダストカップユニット２０を掃除機本体１０へ確実に装着することができる。
【００４１】
したがって、本発明の電気掃除機１によれば、ダストカップユニットの一端部の凹部に掃除機本体のフックを引っ掛け、ダストカップユニットの他端部のみを掃除機本体にロック機構で固定する装着構造に比べて、装着不良が生じ難くなり、装着不良によるダストカップユニットの掃除機本体からの脱落を防止することができる。
【００４２】
また、収納凹部５２Ｂを構成する左右のリブ５２ｂ2によって枠部材５２Ａの左右方向への移動が規制される。さらに、第２係止爪５２ａが第２係止凹部２１ｆ1に係止した状態では、収納凹部５２Ｂを構成する左右のリブ５２ｂ2によって第２係止凹部２１ｆ1の左右内面に設けられた凸部２１ｆ2（図９参照）の左右方向への移動が規制され、収納凹部５２Ｂを構成する左右のリブ５２ｂ2の後端面によって第２係止凹部２１ｆ1の前端面の前方向への移動が規制される。これにより、ダストカップユニット２０の掃除機本体１０に対するがたつきおよび外れが防止される。
【００４３】
なお、取り外しの際は、第１ロック機構５１を操作して第１係止爪２４ｃ1を係止凹部１１ｄ4から離脱させた状態とする、あるいは第２ロック機構５２を操作して第２係止爪５２ａを第２係止凹部２１ｆ1から離脱させた状態とすることにより、ダストカップユニット２０を掃除機本体１０から取り外すことができる。
【００４４】
＜バッテリーおよびバッテリー装着部＞
図５〜図８に示すように、バッテリー装着部１３は、バッテリー３０を収めるバッテリー収納凹部１３ａと、このバッテリー収納凹部１３ａに開閉可能に設けられたバッテリーカバー１３ｂと、バッテリー収納凹部１３ａの奥部に設けられてバッテリー３０の正負極端子と電気的に接触可能な前記端子部（図示省略）とを有する。
【００４５】
バッテリー収納凹部１３ａは、ダストカップ保持部１２の後端に連設された傾斜板部１３ａ1と、傾斜板部１３ａ1の左右端部に連設された左右壁部１３ａ2とを有する。
また、左右壁部１３ａ2の内面には、バッテリー３０の左右側面に設けられた突条部３０ａを前後方向にスライド可能にガイドするガイド溝１３ａ21が形成されている。
【００４６】
傾斜板部１３ａ1は、バッテリー収納凹部１３ａに収納されたバッテリー３０が前方へ向かって下傾するようにダストカップ保持部１２の延長線に対して少し（例えば１０°程度）傾斜している。また、傾斜板部１３ａ1の前部には傾斜板部１３ａ1よりも下方の筐体１１内に設けられた端子部４３をバッテリー収納凹部１３ａ内に露出させるための開口部１３ａ11が形成されると共に、傾斜板部１３ａ1の後部には後述するストッパ凸部１３ｅ1を通してバッテリー収納凹部１３ａ内に突出させるための孔部１３ａ12が形成されている。
【００４７】
また、傾斜板部１３ａ1とダストカップ保持部１２との間には、バッテリーカバー１３ｂの左右方向の軸部１３ｂ3を受ける複数の軸受部１３ａ3が連設されている。さらに、複数の軸受部１３ａ3の前方には支持部材１３ｃがバッテリー装着部１３の一構成要素として設けられる。
【００４８】
支持部材１３ｃは、倒立Ｌ形部１３ｃ1と、倒立Ｌ形部１３ｃ1の前方に設けられた左右一対の軸受部１３ｃ2と、倒立Ｌ形部１３ｃ1の上面に設けられた傾斜面部１３ｃ3とを有する。支持部材１３ｃにおいて、倒立Ｌ形部１３ｃ1は複数の軸受部１３ａ3の前方に配置され、左右一対の軸受部１３ｃ2は複数の軸受部１３ａ3の間に配置される。なお、支持部材１３ｃの各軸受部１３ｃ2の上端には返し部が設けられており、各返し部によってバッテリーカバー１３ｂの軸部１３ｂ3が各軸受部１３ａ3、１３ｃ2から抜け出ないようにしている。なお、バッテリーカバー１３ｂが開いた状態のときに電気掃除機１を落下させた場合にバッテリーカバー１３ｂの軸部１３ｂ3が各軸受部１３ａ3、１３ｃ2から外れるようにしてもよく、これにより落下時にかかるバッテリーカバー１３ｂへの衝撃力を軽減して割れを抑制する効果が期待できる。
【００４９】
バッテリーカバー１３ｂは、第１カバー部１３ｂ1と、第２カバー部１３ｂ2と、摺動凸部１３ｂ4と、圧縮コイルバネ１３ｂ5とを有する。
第１カバー部１３ｂ1は、バッテリー収納凹部１３ａの左右壁部１３ａ2の円弧形の上端部に沿った円弧形状であり、複数のリブおよび摺動凸部１３ｂ4を挿入する挿入孔１３ｂ111を有する中間部１３ｂ11と、中間部１３ｂ11の左右端部に連設された左右部１３ｂ12とを有する。
【００５０】
第２カバー部１３ｂ2は、第１カバー部１３ｂ1の中間部１３ｂ11を覆う部材である。第１カバー部１３ｂ1の挿入孔１３ｂ111に摺動凸部１３ｂ4および圧縮コイルバネ１３ｂ5を挿入した後、第２カバー部１３ｂ2にて第１カバー部１３ｂ1の中間部１３ｂ11を覆うことにより、圧縮コイルバネ１３ｂ5の上端部が第２カバー部１３ｂ2の内面に当接し、かつ圧縮コイルバネ１３ｂ5の下端部が摺動凸部１３ｂ4を下方に弾発的に付勢する。なお、挿入孔１３ｂ111内には段付き部が形成されているため、摺動凸部１３ｂ4の段部が段付き部に当接することにより摺動凸部１３ｂ4が挿入孔１３ｂ111内から抜け出ないようになっている。
【００５１】
バッテリーカバー１３ｂは、その開動作によってバッテリー収納凹部１３ａ内のバッテリー３０に当接して正負極端子が端子部４３から離間する方向にスライド移動させる押し出し当接部１３ｂ121を有すると共に、その閉動作によってバッテリー収納凹部１３ａのバッテリー３０に当接して正負極端子が端子部４３に接近する方向にスライド移動させる押し込み当接部１３ｂ112を有している。
【００５２】
詳しく説明すると、押し出し当接部１３ｂ121は、第１カバー部１３ｂ1の左右部１３ｂ12の前方下部に下方突出状に連設された爪状部分である。また、押し込み当接部１３ｂ112は、第１カバー部１３ｂ1の中間部１３ｂ11の後方下部に下方突出状に連設された凹凸形状を有するふたこぶ状部分である。
【００５３】
次に、バッテリーカバー１３ｂの開閉機構について説明する。
図１５は実施形態１におけるバッテリー装着部からバッテリーを取り外す状態を示す第１の説明図であって（Ａ）は要部右側面図、（Ｂ）は図２のI-I線断面矢視図対応図である。また、図１６は図１５に引き続く第２の説明図であり、図１７は図１６に引き続く第３の説明図であって（Ａ）は図２のII-II線断面矢視図対応図、（Ｂ）は図２のI-I線断面矢視図対応図である。また、図１８は図１７に引き続く第４の説明図であって（Ａ）は図２のII-II線断面矢視図対応図、（Ｂ）は図２のI-I線断面矢視図対応図である。
【００５４】
図５、図８および図１５（Ａ）、（Ｂ）に示すように、バッテリーカバー１３ｂの第１カバー部１３ｂ1の中間部１３ｂ11には、押し込み当接部１３ｂ112よりも後方下部にＬ形リブ１３ｂ113が設けられており、そのＬ形リブ１３ｂ113に貫通孔１３ｂ114が形成されている。この貫通孔１３ｂ114には、後述する係止部材１３ｄ1が係脱可能に係止する。
【００５５】
前記係止部材１３ｄ1は、筐体１１内におけるバッテリー収納凹部１３ａの下のスペースに前後方向スライド可能に設けられた枠形の部材である。この係止部材１３ｄ1は、前後方向にスライド操作されるために、その右側に連結部を介して操作レバー１３ｄ2が一体成形されている。また、バッテリー収納凹部１３ａの傾斜板部１３ａ1の後端部には前記Ｌ形リブ１３ｂ113を受けるＵ形リブ１３ａ13が設けられると共に、傾斜板部１３ａ1の後端部とＵ形リブ１３ａ13との間には係止部材１３ｄ1を前後方向に挿通させる挿通孔１３ａ131が形成されている。
【００５６】
係止部材１３ｄ1を筐体１１内に組み付けることにより、操作レバー１３ｄ2はバッテリー収納凹部１３ａと筐体１１の右側壁との間に配置されるため、筐体１１の右側壁における排気口１２ｂ2の上方には操作レバー１３ｄ2を外部に露出させるための長孔１２ｂ3が形成されている。また、筐体１１内に組み付けられた係止部材１３ｄ1は、付勢部材としての圧縮コイルバネ１３ｄ3によって後方へ弾発的に付勢される。
【００５７】
凸形の前記ストッパ凸部１３ｅ1は、係止部材１３ｄ1の枠形内に圧縮コイルバネ１３ｅ2と共に組み付けられ、圧縮コイルバネ１３ｅ2によって上方へ弾発的に付勢される。これにより、ストッパ凸部１３ｅ1は、バッテリー収納凹部１３ａの傾斜板部１３ａ1の孔部１３ａ12を挿通して傾斜板部１３ａ1の上面よりも上方へ突出する。これにより、バッテリー収納凹部１３ａ内のバッテリー３０の後端部がストッパ凸部１３ｅ1に当接するため、ユーザーが意図しないときのバッテリー３０の後方への移動が規制される。なお、ストッパ凸部１３ｅ1の段部が傾斜板部１３ａ1の孔部１３ａ12の周囲部に当接するため、ストッパ凸部１３ｅ1は孔部１３ａ12から上方へ抜け出ることはない。
【００５８】
図１、図５および図６は、本発明の電気掃除機１のバッテリー装着状態を示している。このとき、バッテリー３０は電池装着部１３内の複数の端子部４３まで押し込まれ、バッテリー３０の正負極端子が各端子部４３と電気的に接続されている。また、バッテリーカバー１３ｂは、後方に付勢された係止部材１３ｄ1がバッテリーカバー１３ｂのＬ形リブ１３ｂ113の貫通孔１３ｂ114に嵌り込むことによって閉状態が維持されている。また、バッテリーカバー１３ｂの左右一対の押し出し当接部１３ｂ121はバッテリー３０の左右の突条部３０ａから離間している。
【００５９】
バッテリー３０を取り外す際は、図１５（Ａ）および（Ｂ）に示すように、ユーザーが指で操作レバー１３ｄ2を前方へスライドさせることにより、圧縮コイルバネ１３ｄ3の付勢力に抗して係止部材１３ｄ1が前方へ移動する。これにより、係止部材１３ｄ1がバッテリーカバー１３ｂのＬ形リブ１３ｂ113の貫通孔１３ｂ114から離脱する。そして、バッテリーカバー１３ｂを上方へ付勢する圧縮コイルバネ１３ｂ5の付勢力によって、バッテリーカバー１３ｂが軸部１３ｂ3を中心として上方（矢印Ａ方向）へ自動的に回動して開く。なお、操作レバー１３ｄ2を離すと圧縮コイルバネ１３ｄ3の付勢力によって係止部材１３ｄ1は後方へ移動する（図１９参照）。
【００６０】
また、バッテリーカバー１３ｂの矢印Ａ方向への回動時に、摺動凸部１３ｂ4が支持部材１３ｃの傾斜面部１３ｃ3上を摺動する。このとき、摺動凸部１３ｂ4が傾斜面部１３ｃ3上を滑らかに摺動できるよう、摺動凸部１３ｂ4の先端は凸曲面を有する形状に形成されている。
【００６１】
図１５（Ａ）および（Ｂ）では、圧縮コイルバネ１３ｂ5によるバッテリーカバー１３ｂの開状態の第１ステップを示している。バッテリー３０を取り外すには、図１６〜図１８（Ａ）および（Ｂ）に示すように、ユーザーによってバッテリーカバー１３ｂがさらに大きく開かれる（第２ステップ）。この第２ステップでは、次の作用によりバッテリー３０の取り外しの補助が自動的に行われる。
【００６２】
先ず、図１６に示すように、バッテリーカバー１３ｂの矢印Ａ方向の回動に伴って左右一対の押し出し当接部１３ｂ121が回動してバッテリー３０の左右の突条部３０ａの前端に当接する。そして、図１７（Ａ）に示すように、左右一対の押し出し当接部１３ｂ121がさらに回動すると、左右一対の押し出し当接部１３ｂ121がてこの原理によってバッテリー３０の左右の突条部３０ａを強い力で後方へ押しやる。このとき、図１７（Ｂ）に示すように、ストッパ凸部１３ｅ1付近までバッテリー３０が後方へ移動して正負極端子が各端子部４３から離脱する。
【００６３】
図１７（Ａ）および（Ｂ）に示す状態では、バッテリー３０の左右の突条部３０ａは未だ完全に左右のガイド溝１３ａ21から抜け出ておらず、かつストッパ凸部１３ｅ1によってバッテリー３０の後方への移動が規制されている。したがって、この状態のときに電気掃除機１のパイプ部１２ａを上に向けたとしてもバッテリー３０がバッテリー収納凹部１３ａからずり落ちることはない。
【００６４】
バッテリーカバー１３ｂを限度一杯まで開いてもバッテリー３０の左右の突条部３０ａは完全に左右のガイド溝１３ａ21から抜け出ないため、図１８（Ａ）および（Ｂ）に示すように、その後はユーザーが指Ｙでバッテリー３０を掴んで後方へ引き抜く。このとき、バッテリー３０の後端部に傾斜面が設けられると共に、ストッパ凸部１３ｅ1の先端部は丸みを帯びているため、ストッパ凸部１３ｅ1の先端部をバッテリー３０の後端部が押すことによってストッパ凸部１３ｅ1が下方へ引っ込む。これにより、バッテリー３０の後方への移動規制が解除される。
【００６５】
また、図１７（Ａ）および（Ｂ）に示す状態では、バッテリー３０の正負極端子が既に各端子部４３から離脱し、かつバッテリー３０の左右の突条部３０ａも左右のガイド溝１３ａ21からある程度抜け出ているため、バッテリー３０を後方へ引き抜くのに必要な力は軽減されており、例えば、ユーザーが女性であっても軽い力で十分引き抜くことができる。
【００６６】
一方、バッテリー３０の掃除機本体１０への装着は、バッテリー３０を掃除機本体１０から引き抜く動作と逆の動作を行えばよい。このとき、ストッパ凸部１３ｅ1を通過する程度にバッテリー３０をバッテリー収納凹部１３ａ内に押し込めばよく、バッテリー３０をバッテリー収納凹部１３ａの奥まで完全に押し込む必要はない（図１９参照）。また、バッテリー３０がストッパ凸部１３ｅ1を通過すると、ストッパ凸部１３ｅ1が飛び出して「カチッ」と音がするため、ユーザーはこの音を聞くことによって操作感を得ることができる。
【００６７】
図１９に示すように、バッテリーカバー１３ｂを矢印Ｂ方向に回動させて閉じていくと、バッテリーカバー１３ｂの押し込み当接部１３ｂ112がバッテリー３０の丸みを有する後端部に摺接しながらバッテリー３０を前方へ押し込んでいく。そして、バッテリーカバー１３ｂを完全に閉じることにより、押し込み当接部１３ｂ112によってバッテリー３０はバッテリー収納凹部１３ａの奥まで完全に押し込まれる。
【００６８】
これにより、バッテリー３０の正負極端子が各端子部４３に電気的に接触した状態となる。またこのとき、バッテリーカバー１３ｂの下降するＬ形リブ１３ｂ113が係止部材１３ｄ1の傾斜面に摺接することによって係止部材１３ｄ1が引っ込み、その後貫通孔１３ｂ114に係止部材１３ｄ1が嵌り込んでロックすることによって、バッテリーカバー１３ｂの閉状態が維持される。
【００６９】
＜外観＞
このように構成された本発明の電気掃除機１は、図１と図２に示すように、前後方向に延びるダストカップ保持部１２のパイプ部１２ａの延長線上にバッテリー装着部１３のバッテリーカバー１３ｂが配置されたことにより、バッテリーカバー１３ｂがパイプ部１２ａの一部を構成しているような一体的な外観を呈している。しかも、バッテリーカバー１３ｂによってバッテリー３０が外部に露出しないため意匠的に洗練された印象を与えることができる。また、本体の上側にバッテリーカバー１３ｂを配置しているため、バッテリー３０を交換する場合、本体の上側にあるバッテリーカバー１３ｂが常に見えている位置にあり、このバッテリーカバー１３ｂを開くことになるので、バッテリーカバー１３ｂが底面側にある場合に比べて、ユーザーが認識し易くなってバッテリー交換が容易となる。
【００７０】
＜電気掃除機の動作＞
この電気掃除機１を用いて室内の掃除を行う際には、操作部１５のスイッチ１５ａまたはスイッチ１５ｂをＯＮ操作して電動送風機Ｍを駆動させることにより、図５中の太線矢印に示すように、塵埃等のゴミを含む空気が掃除機本体１０のパイプ部１２ａの内部を通過してダストカップ２１内に流入する。ダストカップ２１内に流入した塵埃を含む空気はダストカップ２１内を旋回し、それによって大きなゴミは遠心分離されてダストカップ２１の底壁２１ａ側へ寄せられる。
【００７１】
図５と図９に示すように、大きなゴミが取り除かれた空気において、第１フィルター部２２のメッシュフィルター２２ｂの網目よりも大きいゴミはダストカップ２１内に留まり、網目よりも小さなゴミ（主に塵埃）は空気と共に第２フィルター部２３へ向かう。そして、小さなゴミはフィルター本体２３ａにて捕捉され、ゴミをほぼ含まない空気がフィルター本体２３ａを通過して電動送風機４１内に流入し、電動送風機４１を通って排気口１２ｂ2から外部に排出される。
【００７２】
（実施形態２）
図２０は実施形態２の電気掃除機におけるダストカップユニットを示す斜視図であり、図２１は図２０のダストカップユニットの断面図である。なお、図２０、２１において、図１〜１９中の要素と同様の要素には同一の符号を付している。
実施形態２の電気掃除機は、ダストカップユニット１２０のカップカバー２４の外周面にストッパ凸部２４ｆが設けられたこと以外は実施形態１と同様である。
【００７３】
ストッパ凸部２４ｆは、カップカバー２４の外周面における係止部材２４ｃの近傍であって、係止部材２４ｃが圧縮コイルバネ２４ｃ3によって付勢される方向とは逆の位置に配置されている。さらに詳しくは、ストッパ凸部２４ｆは、圧縮コイルバネ２４ｃ3の付勢力に抗して係止部材２４ｃを矢印Ｊ方向に最大ストロークで押し込んだときに係止部材２４ｃと当接する位置に配置されている。
【００７４】
ストッパ凸部２４ｆを設けることにより、次の効果が期待できる。すなわち、ダストカップユニット１２０を床面上に落下させて係止部材２４ｃに矢印Ｊ方向の強い衝撃が加わった場合、ストッパ凸部２４ｆが無いと係止部材２４ｃに構成された外れ止めリブ（図示せず）または係止部材２４ｃを介してリブである突起部２４ｃ2に強い衝撃が加わって破損し、それによって係止部材２４ｃが外れてしまうおそれがある。強度の高いストッパ凸部２４ｆを設けることにより、係止部材２４ｃに矢印Ｊ方向の強い衝撃が加わっても、その強い衝撃は上記外れ止めリブおよび突起部２４ｃ2に伝わることなくストッパ凸部２４ｆで受け止められるため、強度の低い上記外れ止めリブおよび突起部２４ｃ2が破損して係止部材２４ｃが外れるという不具合を回避することができる。
【００７５】
また、ストッパ凸部２４ｆの形状を矢印Ｊ方向に頂部を有する二等辺三角形とすることにより、掃除機本体１０からダストカップユニット１２０を取り外す際にユーザーに対して係止部材２４ｃを矢印Ｊ方向に操作させるインジケーターの役割も果たすことができる。
【００７６】
（実施形態３）
図２２は実施形態３の電気掃除機におけるバッテリーを取り外した掃除機本体を示す斜視図であり、図２３は実施形態３の電気掃除機における右側第１カバー部材を取り外した状態を示す右側面図である。
なお、図２２および図２３において、図１〜１９中の要素と同様の要素には同一の符号を付している。
実施形態３の電気掃除機は、掃除機本体１１０のバッテリー装着部１３内に冷却風を導入するよう構成されたこと以外は実施形態１と同様である。
【００７７】
詳しく説明すると、図５と図８と図２２と図２３に示すように、筐体１１内におけるバッテリー装着部１３の下部は電動送風機４１の収納スペースであり、その収納スペースの下流側とバッテリー装着部１３の内部とは、送風口１３ａ14によって連通している。
送風口１３ａ14の位置は特に限定されるものではないが、例えば、バッテリー装着部１３を構成する左右側壁部１３ａ2のうちの一方に形成することができる。図２２と図２３では、バッテリー装着部１３を構成する右側壁部１３ａ2に送風口１３ａ14が設けられた場合を例示している。
【００７８】
さらに、掃除機本体１１０には、バッテリー装着部１３内に導入した冷却風を排気する図示しない排出口が設けられている。例えば、バッテリー装着部１３の左側壁部１３ａ2に排出口が設けられる。
電動送風機４１からの送風により空気の流れが発生すると、図２３に示すように、その気流は電動送風機４１の収納スペース下流側から図示しない右側第１カバー部材と右側壁部１３ａ2との間の隙間を矢印Ｐのように通って上方の送風口１３ａ14に向かい、送風口１３ａ14からバッテリー装着部１３内に流入する。したがって、バッテリー装着部１３内のバッテリー３０の熱によって温められた空気が気流によって確実に排出口から排出される。
【００７９】
あるいは、排出口は、バッテリー装着部１３を構成する傾斜板部１３ａ1における端子部４３を挿通させる開口部１３ａ11（図８参照）と端子部４３との間の隙間Ｇであってもよく、この隙間Ｇに排出する空気を通過させるようにしてもよい。この場合、開口部１３ａ11の下方に電動送風機４１の収納スペース上流側が位置しているため好都合となる。
また、隙間については、バッテリー収納凹部１３ａとバッテリーカバー１３ｂとを組み合わせた状態で発生する隙間でもよい。
【００８０】
さらに、閉じたバッテリーカバー１３ｂの第１カバー部１３ｂ1によって送風口１３ａ14および排出口が塞がれないよう、第１カバー部１３ｂ1には切欠き部１３ｂ13が設けられている（図２２参照）。
【００８１】
（実施形態４）
実施形態１ではダストカップユニット２０が掃除機本体１０のダストカップ保持部１２の下側に取り付けられる構造を有する電気掃除機１を例示したが、本発明におけるダストカップユニット着脱機構は、ダストカップユニットが掃除機本体のダストカップ保持部の上側に取り付けられる電気掃除機（すなわち、図１の上下を反転させた構造を有する電気掃除機）にも適用できる。
【００８２】
（実施形態５）
実施形態１ではハンディタイプとして使用可能な電気掃除機１を例示したが、本発明におけるダストカップユニット着脱機構は、キャニスター型、アップライト型、スティック型等の電気掃除機にも適用できる。
【００８３】
（まとめ）
本発明の電気掃除機は、電動送風機を内蔵する掃除機本体と、前記掃除機本体に着脱可能に装着されるダストカップユニットと、第１ロック機構および第２ロック機構とを備え、
前記掃除機本体は、前記ダストカップユニットを着脱可能に保持するダストカップ保持部を有し、
前記ダストカップ保持部に前記ダストカップユニットが装着された状態において、前記第１および第２ロック機構は、前記ダストカップユニットの一端部およびこの一端部と反対側の他端部を、これらの一端部および他端部と接触する前記ダストカップ保持部の２箇所の接触部に離脱可能に固定するよう配置されたことを特徴とする。
【００８４】
本発明の電気掃除機は次のように構成されてもよい。
（１）前記ダストカップユニットは、前記一端部側に設けられたフィルターユニットと、前記フィルターユニットを着脱可能に装着する開口部を有する前記他端部側に設けられたダストカップとを有し、
前記ダストカップ保持部は、前記ダストカップユニットにおける前記フィルターユニットから前記ダストカップの外面の一部に沿って保持するよう前後方向に延びて形成され、
前記第１ロック機構は、前記ダストカップ保持部の後端部および前記フィルターユニットに配置されてこれらを離脱可能に連結するための、第１係止凹部およびこの第１係止凹部に係脱可能に係止する第１係止爪を有し、
前記第２ロック機構は、前記ダストカップ保持部の前端部および前記ダストカップに配置されてこれらを離脱可能に連結するための、第２係止凹部およびこの第２係止凹部に係脱可能に係止する第２係止爪を有してもよい。
【００８５】
この場合、第１および第２係止爪は、例えば、圧縮コイルバネまたは引張コイルバネを用いて係止爪を前後方向にスライドさせるスライド方式、ねじりコイルバネを用いて係止爪を前後方向に揺動させるシーソー方式等を採用することができる。また、各係止爪と各係止凹部とはスムーズに係合できかつ不意に外れることがない形状であることが好ましい。例えば、係止爪および係止爪が摺接する係止凹部の開口端部に傾斜面や凸曲面を設け、係止後の係止爪と係止凹部との接触部には係止爪が付勢される方向と垂直方向の平坦面を設ける。
【００８６】
（２）前記第１ロック機構において、前記第１係止凹部が前記ダストカップ保持部の後端部に配置され、かつ前記第１係止爪が前記フィルターユニットに配置され、
前記第２ロック機構において、前記第２係止爪が前記ダストカップ保持部の前端部に配置され、かつ前記第２係止凹部が前記ダストカップに配置されてもよい。
このようにすれば、ダストカップには突起となる係止爪が設けられないことにより、ダストカップを床面等に載置しやすい構造とすることができる。また、ダストカップ保持部の後端部に突起となる係止爪が設けられないことにより、ダストカップユニットをダストカップ保持部に装着しやすい構造とすることができる。なお、本発明ではこれに限定されるものではなく、各係止爪と各係止凹部の位置は逆であってもよい。
【００８７】
（３）前記ダストカップ保持部は、前記第２係止爪の左右方向への移動を規制するリブをさらに有してもよい。
このようにすれば、第２係止凹部に係止した第２係止爪の左右方向への移動が規制されるため、ダストカップ保持部に対するダストカップユニットのがたつきおよび外れが防止される。
【００８８】
（４）前記掃除機本体は、バッテリーと、前記バッテリーが着脱可能に装着されるよう前記掃除機本体に設けられたバッテリー装着部とをさらに備え、
前記バッテリー装着部は、前記バッテリーを収めるバッテリー収納凹部と、このバッテリー収納凹部に開閉可能に設けられたバッテリーカバーと、前記バッテリー収納凹部の奥部に設けられて前記バッテリーの正負極端子と電気的に接触可能な端子部とを有し、
前記バッテリーカバーは、その開動作によって前記バッテリー収納凹部内の前記バッテリーに当接して前記正負極端子が前記端子部から離間する方向にスライド移動させる押し出し当接部を有してもよい。
【００８９】
このようにすれば、ユーザーによるバッテリーカバーの開動作を利用して押し出し当接部がバッテリーをバッテリー収納凹部からある程度押し出すため、ユーザーがバッテリーをバッテリー収納凹部から引き出す力を軽減することができる。
【００９０】
（５）前記バッテリーカバーは、その閉動作によって前記バッテリー収納凹部の前記バッテリーに当接して前記正負極端子が前記端子部に接近する方向にスライド移動させる押し込み当接部を有してもよい。
このようにすれば、ユーザーによるバッテリーカバーの閉動作を利用して押し込み当接部がバッテリーをバッテリー収納凹部へ奥まで押し込むことができるため、ユーザーがバッテリーをバッテリー収納凹部の奥部まで押し込む手間を省くことができる。また、ユーザーによってはバッテリーの正負極端子が掃除機本体の各端子部に確実に接触するまでバッテリーをバッテリー収納凹部の奥部まで強い力でしっかりと押し込むことができない場合があるが、押し込み当接部によって容易かつ確実にバッテリーをバッテリー収納凹部の奥部までしっかりと押し込むことができる。
【００９１】
（６）ダストカップユニットのカップカバーの外周面に係止部材と当接可能なストッパ凸部２４ｆを設けてもよい。
このようにすれば、係止部材に加わった衝撃をストッパ凸部にて受け止めることができ、それによって係止部材を保持する強度の弱いリブ（突起部）を破損させて係止部材が外れるという不具合を回避することができる。
【００９２】
（７）掃除機本体が、電動送風機からの気流の一部をバッテリー装着部の内部に導入する送風口と、バッテリー装着部内の空気を排出する排出口とをさらに有していてもよい。
このようにすれば、掃除機本体内から外部に排気される気流の一部をバッテリーの冷却風として有効利用することができ、バッテリーの長寿命化を図ることができる。
【００９３】
（８）前記掃除機本体における前記バッテリー装着部の後方にハンドルをさらに備えたハンディタイプであり、
前後方向に延びる前記ダストカップ保持部の延長線上に前記バッテリーカバーが配置されてもよい。
このようにすれば、バッテリーカバーが前後方向に延びるダストカップ保持部の一部を構成しているような一体的な外観を呈している。しかも、バッテリーカバーによってバッテリーが外部に露出しないため意匠的に洗練された印象を与えることができる。
【００９４】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００９５】
１０  掃除機本体
１１ｄ4  第１係止凹部
１２  ダストカップ保持部
１３  バッテリー装着部
１３ａ  バッテリー収納凹部
１３ｂ  バッテリーカバー
１３ｂ112  押し込み当接部
１３ｂ121  押し出し当接部
２０  ダストカップユニット
２１  ダストカップ
２１ｆ1  第２係止凹部
２４ｃ1  第１係止爪
３０  バッテリー
４１  電動送風機
４３  端子部
５１  第１ロック機構
５２  第２ロック機構
５２ａ  第２係止爪
５２ｂ2  リブ
Ｆ  フィルターユニット
【図１】
0006670553.tif 000002
【図２】
0006670553.tif 000003
【図３】
0006670553.tif 000004
【図４】
0006670553.tif 000005
【図５】
0006670553.tif 000006
【図６】
0006670553.tif 000007
【図７】
0006670553.tif 000008
【図８】
0006670553.tif 000009
【図９】
0006670553.tif 000010
【図１０】
0006670553.tif 000011
【図１１】
0006670553.tif 000012
【図１２】
0006670553.tif 000013
【図１３】
0006670553.tif 000014
【図１４】
0006670553.tif 000015
【図１５】
0006670553.tif 000016
【図１６】
0006670553.tif 000017
【図１７】
0006670553.tif 000018
【図１８】
0006670553.tif 000019
【図１９】
0006670553.tif 000020
【図２０】
0006670553.tif 000021
【図２１】
0006670553.tif 000022
【図２２】
0006670553.tif 000023
【図２３】
0006670553.tif 000024